(57)【要約】【課題】別々の鍵を有する者により開錠可能な施錠装置を提供する。【解決手段】施錠装置１は、ピン３、南京錠４ａ及び４ｂを備えて構成される。ピン３の両端部の近傍には、南京錠４ａ及び４ｂが取り付けられる錠前取り付け部３ａ及び３ｂがそれぞれ備えられる。南京錠４ａ及び４ｂはそれぞれ別の鍵により施錠及び開錠される。扉枠８に開閉自在に取り付けられた扉７には閂挿通部９及び１０が備えられ、扉枠８には閂挿通部１１が備えられる。施錠装置１が施錠された状態では、閂１２が各閂挿通部９、１０及び１１に挿通された状態となる。また、閂１２の略中央部から突出して設けられたロック部１３のロック部孔１３ａに、錠前取り付け孔１０ａを備える閂挿通部１０が挿通された状態となる。更に、錠前取り付け孔１０ａには、施錠装置１のピン３が差し込まれ、ピン３に南京錠４ａ及び４ｂが取り付けられる。【選択図】        図２
2009062780.tif 000002
【特許請求の範囲】
【請求項１】
支持部材に開閉可能に取り付けられた可動部材を施錠する施錠装置において、
第１の鍵及び第２の鍵により開錠可能である
ことを特徴とする施錠装置。
【請求項２】
前記第１の鍵により開錠され、前記可動部材を開放可能とする第１の錠と、
前記第２の鍵により開錠され、前記可動部材を開放可能とする第２の錠とを備える
ことを特徴とする請求項１記載の施錠装置。
【請求項３】
前記支持部材又は前記可動部材に備えられた挿通孔に、前記可動部材が閉められた状態で挿通され、前記可動部材の開放を妨げる棒部を備え、
前記第１の錠は、前記挿通孔と係止して前記棒部の一方の端部が前記挿通孔から外れることを防止し、
前記第２の錠は、前記挿通孔と係止して前記棒部の他方の端部が前記挿通孔から外れることを防止する
ことを特徴とする請求項２記載の施錠装置。
【請求項４】
複数の支持部材にそれぞれ開閉可能に取り付けられた可動部材をそれぞれ施錠する複数の施錠装置を有する施錠システムにおいて、
第１の鍵及び第２の鍵により開錠可能である施錠装置により施錠される可動部材と、
第１の鍵のみにより開錠可能である施錠装置により施錠される可動部材とを備える
ことを特徴とする施錠システム。
【発明の詳細な説明】
【技術分野】
【０００１】
本発明は、扉等の可動部材を施錠する施錠装置及び、この施錠装置を複数備える施錠システムに関する。詳しくは、第１の鍵及び第２の鍵により開錠可能な構成を備えることにより、異なる種類の鍵を有する使用者により開錠することを可能とするものである。
【背景技術】
【０００２】
関係者以外の進入を禁止する建物、敷地の入り口の扉は、通常、施錠装置により施錠される。図７は、従来の施錠装置（南京錠１４）による扉の施錠状態を示す説明図である。図７に示す扉７は、扉枠８に開閉自在に取り付けられている。また、扉７には閂挿通部９及び１０が備えられ、扉枠８には閂挿通部１１が備えられる。扉７に備えられる閂挿通部１０は、切り欠き部１０ｂで上下に分割された構成を有し、一方に錠前が取り付けられる錠前取り付け孔１０ａを備える。
【０００３】
図７に示すように、南京錠１４が施錠された状態では、閂１２が各閂挿通部９、１０及び１１に挿通された状態となる。また、閂１２の略中央部から突出して設けられたロック部１３のロック部孔１３ａに、錠前取り付け孔１０ａを備える閂挿通部１０が挿通された状態となる。更に、錠前取り付け孔１０ａには、南京錠１４が取り付けられる。
【０００４】
このような構成で、閂１２が扉７及び扉枠８の各閂挿通部９、１０及び１１と係止することにより、扉７の開放が妨げられる。また、錠前取り付け孔１０ａに取り付けられた南京錠１４により、ロック部１３が閂挿通部１０から外れることが防がれる。これにより、ロック部孔１３ａ内に閂挿通部１０が位置した状態となり、閂１２が各閂挿通部内を摺動し、各閂挿通部から外れることが防がれる。
【０００５】
図８及び図９は、南京錠１４が開錠され、扉７が開く状態を示す説明図である。図８に示すように、南京錠１４が錠前取り付け孔１０ａから取り外された状態では、閂１２のロック部１３が矢印に示す方向に回転可能となる。ロック部１３を切り欠き部１０ｂに応じた位置まで回転させることにより、図９の矢印Ｆに示すように、端部１２ａが扉枠８の閂挿通孔１１から外れる位置まで移動させることができる。これにより、矢印Ｇに示すように、扉７を開放することが可能となる。
【０００６】
また上記とは別に、第１の鍵及び第２の鍵を用いて施錠を行う宅配物受用錠が提案されている（特許文献１参照）。特許文献１に開示される錠は、施錠は第１の鍵及び第２の鍵の両方を用いて行われる。また、特許文献１に開示される錠は、開錠は第１の鍵のみで行われる。これにより、宅配物の授受の際の鍵の管理を容易にするものである。
【０００７】
【特許文献１】特開平７−２５９４０８
【発明の開示】
【発明が解決しようとする課題】
【０００８】
しかし、前述した従来の施錠装置には、次のような問題がある。図７に示す従来の施錠装置は、１つの鍵により施錠及び開錠を行うものである。このため、例えば、複数の扉に設置された施錠装置を全て１種類の鍵で開錠可能とし、且つ、これらの施錠装置の内の特定の施錠装置のみを他の鍵でも開錠可能とするといった管理を行うことができない。このような施錠装置の管理を行うためには、２種類の鍵で開錠可能な施錠装置が必要となる。
【０００９】
また特許文献１に開示される錠は、第１の鍵のみで開錠を行うものであり、２種類の鍵でそれぞれ開錠することはできない。
【００１０】
本発明はこのような問題を解決するためになされたもので、２種類の鍵でそれぞれ開錠可能とすることで、別々の鍵を有する者により開錠可能な施錠装置を提供することを目的
とする。
【課題を解決するための手段】
【００１１】
上述した問題を解決するため、本発明に係る施錠装置は、支持部材に開閉可能に取り付けられた可動部材を施錠する施錠装置において、第１の鍵及び第２の鍵により開錠可能であることを特徴とするものである。
【００１２】
本発明に係る施錠装置は、例えば扉枠などの支持部材に開閉可能に取り付けられた、扉などの可動部材を施錠するものである。本発明に係る施錠装置は、第１の鍵及び第２の鍵の何れでも開錠可能である。
【００１３】
上述した問題を解決するため、本発明に係る施錠システムは、複数の支持部材にそれぞれ開閉可能に取り付けられた可動部材をそれぞれ施錠する複数の施錠装置を有する施錠システムにおいて、第１の鍵及び第２の鍵により開錠可能である施錠装置により施錠される可動部材と、第１の鍵のみにより開錠可能である施錠装置により施錠される可動部材とを備えることを特徴とするものである。
【００１４】
本発明に係る施錠システムは、例えば扉枠などの支持部材に開閉可能に取り付けられた扉などの可動部材を施錠する施錠装置を複数有する。また、本発明に係る施錠システムの所定の施錠装置は、第１の鍵と第２の鍵の何れでも開錠可能である。更に、本発明に係る施錠システムの他の所定の施錠装置は、第１の鍵のみにより開錠可能である。
【発明の効果】
【００１５】
本発明に係る施錠装置は、第１の鍵と第２の鍵の何れでも開錠可能である。これにより、複数の使用者が異なる鍵を用いて開錠することが可能となる。
【００１６】
本発明に係る施錠システムは、第１の鍵及び第２の鍵により開錠可能である施錠装置により施錠される可動部材と、第１の鍵のみにより開錠可能である施錠装置により施錠される可動部材とを備える。これにより、第１の鍵を有する使用者は、第１の鍵及び第２の鍵により開錠可能である施錠装置と第１の鍵のみにより開錠可能である施錠装置の双方を開錠可能となり、第２の鍵を有する使用者は、第１の鍵及び第２の鍵により開錠可能である施錠装置のみが開錠可能となり、利便性を損なうことなく、開錠可能な可動部材を使用者により制限することができる。
【発明を実施するための最良の形態】
【００１７】
以下、図面を参照して、本発明の施錠装置及び施錠システムの構成例について説明する。
【００１８】
＜第１の施錠装置の構成例＞
まず、本発明の第１の施錠装置１の構成について説明する。図１は第１の施錠装置１の構成例を示す斜視図である。図１に示すように、施錠装置１は、ピン３、南京錠４ａ及び４ｂを備えて構成される。ピン３の両端部の近傍には、錠前取り付け部３ａ及び３ｂがそれぞれ備えられており、南京錠４ａ及び４ｂが取り付けられる。南京錠４ａ及び４ｂはそれぞれ別の鍵により施錠及び開錠される。
【００１９】
図２は第１の施錠装置１により扉７を施錠した状態を示す斜視図である。図２に示す扉７は、扉枠８に開閉自在に取り付けられている。また、扉７には閂挿通部９及び１０が備えられ、扉枠８には閂挿通部１１が備えられる。扉７に備えられる閂挿通部１０は、切り欠き部１０ｂで上下に分割された構成を有し、一方に錠前が取り付けられる錠前取り付け孔１０ａを備える。
【００２０】
図２に示すように、施錠装置１が施錠された状態では、閂１２が各閂挿通部９、１０及び１１に挿通された状態となる。また、閂１２の略中央部から突出して設けられたロック部１３のロック部孔１３ａに、錠前取り付け孔１０ａを備える閂挿通部１０が挿通された状態となる。更に、錠前取り付け孔１０ａには、施錠装置１のピン３が差し込まれ、錠前取り付け部３ａ及び３ｂに南京錠４ａ及び４ｂが取り付けられる。
【００２１】
このような構成で、閂１２が扉７及び扉枠８の各閂挿通部９、１０及び１１と係止することにより、扉７の開放が妨げられる。また、錠前取り付け孔１０ａに取り付けられた施錠装置１のピン３により、ロック部１３が閂挿通部１０から外れることが防がれる。これにより、ロック部孔１３ａ内に閂挿通部１０が位置した状態となり、閂１２が各閂挿通部内を摺動し、各閂挿通部から外れることが防がれ、扉７の開放が妨げられる。
【００２２】
図３は、施錠装置１の開錠の状態を示す説明図である。図３に示すように、南京錠４ａ又は南京錠４ｂがピン３から取り外されることにより、矢印Ａに示すようにピン３が錠前取り付け孔１０ａから取り外し可能となる。ピン３が錠前取り付け孔１０ａから取り外された状態では、閂１２のロック部１３が矢印Ｂに示す方向に回転可能となる。ロック部１３を切り欠き部１０ｂに応じた位置まで回転させることにより、図９の矢印Ｆに示すように、端部１２ａを扉枠８の閂挿通孔１１から外れる位置まで移動させることができる。これにより、図９の矢印Ｇに示すように、扉７を開放することが可能となる。
【００２３】
本発明に係る施錠装置１の南京錠４ａ及び南京錠４ｂは、それぞれ別々の鍵により開錠される。即ち、施錠装置１は、別々の鍵を有する者により開錠可能である。これにより例えば、複数の扉に取り付けられた施錠装置を同じ鍵で開錠可能とし、且つ、これらの施錠装置の内の特定の施錠装置を他の鍵で開錠可能とするといった、施錠装置の管理が可能となる。
【００２４】
本発明に係る施錠装置１は、図７に示す従来の施錠装置で用いられるロック部１３を有する閂１２を流用するものである。このため、錠来の施錠装置から施錠装置１への交換及び、施錠装置１から従来の施錠装置への交換を容易に行うことが可能となる。
【００２５】
＜第２の施錠装置の構成例＞
次に、第２の施錠装置２の構成について説明する。図４は第２の施錠装置２により扉７を施錠した状態を示す斜視図である。図４に示すように、施錠装置２は、施錠装置１と同様に、ピン５、南京錠６ａ及び６ｂを備えて構成される。ピン５の両端部の近傍には、錠前取り付け部５ａ及び５ｂがそれぞれ備えられており、南京錠６ａ及び６ｂが取り付けられる。南京錠６ａ及び６ｂはそれぞれ別の鍵により施錠及び開錠される。図４に示す扉７は、図２及び図３に示す扉と同様に、扉枠８に開閉自在に取り付けられている。また、扉７には閂挿通部９及び１０が備えられ、扉枠８には閂挿通部１１が備えられる。
【００２６】
図４に示すように、施錠装置２が施錠された状態では、ピン５が閂挿通部９、１０及び１１に挿通され、錠前取り付け部５ａ及び５ｂに南京錠６ａ及び６ｂが取り付けられた状態となる。このような構成で、ピン５が扉７及び扉枠８の各閂挿通部９、１０及び１１と係止することにより、扉７の開放が妨げられる。また、錠前取り付け部５ａ及び５ｂに取り付けられた南京錠６ａ及び６ｂにより、ピン５が閂挿通部９、１０及び１１から取り外れることが防がれる。
【００２７】
図５は、施錠装置２の開錠の状態を示す説明図である。図５に示すように、南京錠６ａ又は南京錠６ｂがピン５から取り外されることにより、矢印Ｃに示すようにピン５が各閂挿通部から取り外し可能となる。これにより、図９の矢印Ｇに示すように、扉７を開放することが可能となる。
【００２８】
本発明に係る施錠装置２の南京錠６ａ及び南京錠６ｂは、それぞれ別々の鍵により開錠される。即ち、施錠装置２は、別々の鍵を有する者により開錠可能である。これにより例えば、複数の扉に取り付けられた施錠装置を同じ鍵で開錠可能とし、且つ、これらの施錠装置の内の特定の施錠装置を他の鍵で開錠可能とするといった、施錠装置の管理が可能となる。
【００２９】
また、上述した第１の施錠装置１及び第２の施錠装置２は、南京錠を二つ備え、それぞれが異なる鍵により開錠可能であるとした。しかし、二種類の鍵により開錠可能な錠を一つ備えることにより、二種類の鍵により開錠可能な施錠装置としてもよい。
【００３０】
＜施錠システムの構成例＞
次に、本発明の施錠システムの構成例について説明する。図６は本発明の施錠システム１５の構成例を示す説明図である。図６に示す施錠システム１５は、鉄塔１６を囲む柵１７の扉１７ａを施錠する施錠装置１８、設備１９を囲む柵２０の扉２０ａを施錠する施錠装置２１及び、設備２２を囲む柵２３の扉２３ａを施錠する施錠装置２４を備えて構成される。
【００３１】
ここで施錠装置１８は、例えば図１から図５に示すような、第１の鍵及び第２の鍵により開錠可能な施錠装置である。施錠装置２１及び施錠装置２４は、例えば図７に示す従来の施錠装置のような、一種類の鍵のみにより開錠可能な施錠装置である。施錠装置２１及び施錠装置２４は、例えば、施錠装置１８を開錠可能な第１の鍵又は第２の鍵のみにより開錠可能である。
【００３２】
これにより、本発明の施錠システム１５を使用する各使用者が持つ鍵を第１の鍵又は第２の鍵の１種類とし、且つ、異なる種類の鍵を有する使用者により開錠可能な施錠装置（施錠装置１８）を有することが可能となる。
【００３３】
更に、例えば施錠装置２１及び施錠装置２４を第１の鍵のみで開錠可能とした場合、第１の鍵を有する使用者は施錠装置１８、２１及び２４を開錠可能となり、第２の鍵を有する使用者は、施錠装置１８のみを開錠可能となる。これにより、第１の鍵を有する使用者は、施錠装置１８、施錠装置２１及び施錠装置２４の全てを開錠可能となり、第２の鍵を有する使用者は、施錠装置１８のみが開錠可能となり、利便性を損なうことなく、開錠可能な可動部材を使用者により制限することができる。
【産業上の利用可能性】
【００３４】
本発明は、扉等の可動部材を扉枠等の支持部材に施錠する施錠装置に適用される。
【図面の簡単な説明】
【００３５】
【図１】第１の施錠装置の構成例を示す説明図である。
【図２】第１の施錠装置の構成例を示す説明図である。
【図３】第１の施錠装置の開錠を示す説明図である。
【図４】第２の施錠装置の構成例を示す説明図である。
【図５】第２の施錠装置の開錠を示す説明図である。
【図６】本発明の施錠システムの構成例を示す説明図である。
【図７】従来の施錠装置の構成例を示す説明図である。
【図８】従来の施錠装置の開錠を示す説明図である。
【図９】扉の開錠を示す説明図である。
【符号の説明】
【００３６】
１，２  施錠装置
３  ピン
４  南京錠
５  ピン
６  南京錠
７  扉
８  扉枠
９，１０，１１  閂挿通部
１２  閂
１４  南京錠
１５  施錠システム
１８  施錠装置
２１  施錠装置
２４  施錠装置
【図１】
2009062780.tif 000003
【図２】
2009062780.tif 000004
【図３】
2009062780.tif 000005
【図４】
2009062780.tif 000006
【図５】
2009062780.tif 000007
【図６】
2009062780.tif 000008
【図７】
2009062780.tif 000009
【図８】
2009062780.tif 000010
【図９】
2009062780.tif 000011